(57)【要約】【課題】親機から離れた場所に設置されている子機に対して、他の通信機器の無線通信に影響を与えずに、親機を介して無線通信を行うための設定情報を簡便に設定できるようにすることを目的とする。【解決手段】ユーザ１０９は、無線ＬＡＮ設定装置２００を持って無線親機１１０の近傍に移動し、無線ＬＡＮ設定装置２００を子機モードで動作させる。無線ＬＡＮ設定装置２００は、設定通信方式で無線親機１１０から設定情報１０１を取得する。ユーザ１０９は、無線ＬＡＮ設定装置２００を持って無線子機１２０の近傍に移動し、無線ＬＡＮ設定装置２００を親機モードで動作させる。無線ＬＡＮ設定装置２００は、設定通信方式で設定情報１０１を無線子機１２０に提供する。【選択図】図１
2014212498.tif 000002
【特許請求の範囲】
【請求項１】
子機が親機を介して無線通信を行うために使用する設定情報を記憶する設定情報記憶部と、
前記親機から前記設定情報を受信するための子機モード操作と、前記子機に前記設定情報を送信するための親機モード操作と、を検出するモード操作検出部と、
前記モード操作検出部が前記子機モード操作を検出した場合、前記設定情報を通信するための設定通信方式で、前記親機から前記設定情報を受信する設定情報受信部と、
前記設定情報受信部によって受信された前記設定情報を前記設定情報記憶部に記憶する設定情報記憶処理部と、
前記モード操作検出部が前記親機モード操作を検出した場合、前記設定通信方式と同じ通信方式で、前記設定情報記憶部に記憶された前記設定情報を前記子機に送信する設定情報送信部と
を備えることを特徴とする無線通信設定装置。
【請求項２】
前記設定情報記憶部から前記設定情報を消去するための消去操作を検出し、前記設定情報記憶部から前記設定情報を消去する設定情報消去部を備える
ことを特徴とする請求項１記載の無線通信設定装置。
【請求項３】
前記設定情報送信部が前記設定情報を前記子機に送信した後、前記設定情報記憶部から前記設定情報を消去する設定情報消去部を備える
ことを特徴とする請求項１記載の無線通信設定装置。
【請求項４】
前記無線通信設定装置は、
ユーザを識別する情報をユーザ登録情報として記憶するユーザ登録情報記憶部と、
ユーザを識別する情報として入力されるユーザ情報と前記ユーザ登録情報記憶部に記憶されたユーザ登録情報とを比較し、前記ユーザ情報を入力した入力ユーザを認証するか否かを比較結果に基づいて判定するユーザ認証部とを備え、
前記設定情報受信部は、前記ユーザ認証部が前記入力ユーザを認証し、且つ、前記モード操作検出部が前記子機モード操作を検出した場合に、前記設定情報を受信し、
前記設定情報送信部は、前記ユーザ認証部が前記入力ユーザを認証し、且つ、前記モード操作検出部が前記親機モード操作を検出した場合に、前記設定情報を送信する
ことを特徴とする請求項１から請求項３いずれかに記載の無線通信設定装置。
【請求項５】
前記無線通信設定装置は、設定情報選択部を備え、
前記設定情報受信部は、前記親機を含む一つ以上の親機から複数の設定情報を受信し、
前記設定情報記憶処理部は、前記複数の設定情報を前記設定情報記憶部に記憶し、
前記設定情報選択部は、前記設定情報記憶部に記憶された前記複数の設定情報のうち、いずれかの設定情報を選択し、
前記設定情報送信部は、前記設定情報選択部によって選択された設定情報を前記子機に送信する
ことを特徴とする請求項１から請求項４いずれかに記載の無線通信設定装置。
【請求項６】
設定情報記憶部と、モード操作検出部と、設定情報受信部と、設定情報記憶処理部と、設定情報送信部とを備える無線通信設定装置を用いる無線通信設定方法であって、
前記設定情報記憶部は、子機が親機を介して無線通信を行うために使用する設定情報を記憶する記憶部であり、
前記モード操作検出部が、前記親機から前記設定情報を受信するための子機モード操作を検出し、
前記設定情報受信部が、前記モード操作検出部が前記子機モード操作を検出した場合、前記設定情報を通信するための設定通信方式で、前記親機から前記設定情報を受信し、
前記設定情報記憶処理部が、前記設定情報受信部によって受信された前記設定情報を前記設定情報記憶部に記憶し、
前記モード操作検出部が、前記子機に前記設定情報を送信するための親機モード操作を検出し、
前記設定情報送信部が、前記モード操作検出部が前記親機モード操作を検出した場合、前記設定通信方式と同じ通信方式で、前記設定情報記憶部に記憶された前記設定情報を前記子機に送信する
ことを特徴とする無線通信設定方法。
【請求項７】
請求項１から請求項５いずれかに記載の無線通信設定装置としてコンピュータを機能させるための無線通信設定プログラム。
【発明の詳細な説明】
【技術分野】
【０００１】
本発明は、例えば、親機から離れた場所に設置されている子機に対して無線通信の設定を容易に行うための無線通信設定装置、無線通信設定方法および無線通信設定プログラムに関するものである。
【背景技術】
【０００２】
近年、ホームネットワークに接続してエネルギーマネジメントまたはインターネット利用を行う機能を有する家電機器が増えている。このような家電機器をホームネットワークに接続するために、無線ＬＡＮ（ローカルエリアネットワーク）を用いることが多い。
また、無線ＬＡＮを利用するためには、ＳＳＩＤまたは暗号鍵などの情報の設定を行う必要がある。
【０００３】
無線ＬＡＮの設定を簡便に行うために、ＷＰＳ（Ｗｉ−Ｆｉ  Ｐｒｏｔｅｃｔｅｄ  Ｓｅｔｕｐ）およびＡＯＳＳ（ＡｉｒＳｔａｔｉｏｎ  Ｏｎｅ−Ｔｏｕｃｈ  Ｓｅｃｕｒｅ  Ｓｙｓｔｅｍ）といった技術が知られている。
「Ｗｉ−Ｆｉ」「ＡＯＳＳ」は登録商標である（以下同様）。
【０００４】
例えば、ＷＰＳおよびＡＯＳＳは、以下のようにして無線ＬＡＮの設定を行う方法である。
（１）無線親機（例えば無線ＬＡＮルータ）がＳＳＩＤおよび暗号鍵を自動的に生成する。
（２）ユーザが無線親機および無線子機（例えば家電機器）の設定ボタンを押下する。
（３）無線子機（例えば家電機器）が無線親機からＳＳＩＤおよび暗号鍵を受信し、受信したＳＳＩＤおよび暗号鍵をメモリに設定する。
その後、無線子機は、このＳＳＩＤおよび暗号鍵を使って無線親機を介してホームネットワークに接続し、ホームネットワークに対してデータ通信を行う。
ただし、ＳＳＩＤおよび暗号鍵を通信するときに無線子機を無線親機の近くに配置し、無線親機と無線子機とが直接通信できるようにする必要がある。
【０００５】
特許文献１は、無線ＬＡＮの設定を簡便に行うための方法を開示している。
特許文献１が開示する方法は、インフラストラクチャモードで無線親機と情報端末を接続し、情報端末を用いて無線親機から設定情報を取得し、情報端末から無線子機に設定情報を送る方法である。
この場合、無線親機と情報端末とが設定情報を通信しているときに無線ＬＡＮの帯域を使用するため、無線ＬＡＮで無線親機と接続する他の通信機器の無線通信に影響が出る恐れがある。また、複数の無線子機の設定を行う場合、その度に情報端末を無線親機に接続する必要がある。
【先行技術文献】
【特許文献】
【０００６】
【特許文献１】特開２００８−００４９７５号公報
【発明の概要】
【発明が解決しようとする課題】
【０００７】
本発明は、例えば、親機から離れた場所に設置されている子機に対して、他の通信機器の無線通信に影響を与えずに、親機を介して無線通信を行うための設定情報を簡便に設定できるようにすることを目的とする。
【課題を解決するための手段】
【０００８】
本発明の無線通信設定装置は、
子機が親機を介して無線通信を行うために使用する設定情報を記憶する設定情報記憶部と、
前記親機から前記設定情報を受信するための子機モード操作と、前記子機に前記設定情報を送信するための親機モード操作と、を検出するモード操作検出部と、
前記モード操作検出部が前記子機モード操作を検出した場合、前記設定情報を通信するための設定通信方式で、前記親機から前記設定情報を受信する設定情報受信部と、
前記設定情報受信部によって受信された前記設定情報を前記設定情報記憶部に記憶する設定情報記憶処理部と、
前記モード操作検出部が前記親機モード操作を検出した場合、前記設定通信方式と同じ通信方式で、前記設定情報記憶部に記憶された前記設定情報を前記子機に送信する設定情報送信部とを備える。
【発明の効果】
【０００９】
本発明によれば、例えば、親機から離れた場所に設置されている子機に対して、親機を介して無線通信を行うための設定情報を簡便に設定することができる。
また、親機から設定情報を受信する設定通信方式と同じ通信方式で設定情報を子機に送信するため、設定通信方式と異なる通信方式で通信する他の通信機器の無線通信に影響を与えない。
【図面の簡単な説明】
【００１０】
【図１】実施の形態１における無線ＬＡＮ設定システム１００の概要図である。
【図２】実施の形態１における無線ＬＡＮ設定システム１００の動作の一例を示すシーケンス図である。
【図３】実施の形態１における無線ＬＡＮ設定装置２００の機能構成図である。
【図４】実施の形態１における無線ＬＡＮ設定装置２００の処理の流れを示すフローチャートである。
【図５】実施の形態１における無線ＬＡＮ設定装置２００のハードウェア構成の一例を示す図である。
【図６】実施の形態２における無線ＬＡＮ設定システム１００の動作の一例を示すシーケンス図である。
【図７】実施の形態２における無線ＬＡＮ設定装置２００の機能構成図である。
【図８】実施の形態２における無線ＬＡＮ設定装置２００の処理の流れを示すフローチャートである。
【図９】実施の形態３における無線ＬＡＮ設定システム１００の動作の一例を示すシーケンス図である。
【図１０】実施の形態３における無線ＬＡＮ設定システム１００の動作の一例を示すシーケンス図である。
【図１１】実施の形態３における無線ＬＡＮ設定装置２００の機能構成図である。
【図１２】実施の形態３における無線ＬＡＮ設定装置２００の子機モードの処理を示すフローチャートである。
【図１３】実施の形態３における無線ＬＡＮ設定装置２００の親機モードの処理を示すフローチャートである。
【発明を実施するための形態】
【００１１】
実施の形態１．
親機から離れた場所に設置されている子機に対して、他の通信機器の無線通信に影響を与えずに、親機を介して無線通信を行うための設定情報を簡便に設定する形態について説明する。
【００１２】
図１は、実施の形態１における無線ＬＡＮ設定システム１００の概要図である。
実施の形態１における無線ＬＡＮ設定システム１００の概要について、図１に基づいて説明する。
【００１３】
無線ＬＡＮ設定システム１００（無線通信設定システムの一例）は、無線ＬＡＮ（無線通信、通信方式の一例）を利用するための設定情報１０１を無線子機１２０に設定するシステムである。
【００１４】
無線ＬＡＮ設定システム１００は、無線親機１１０と無線子機１２０と無線ＬＡＮ設定装置２００（無線通信設定装置の一例）とを備える。
【００１５】
無線親機１１０は、無線ＬＡＮルータまたはアクセスポイントとも呼ばれる通信機器である。
無線親機１１０は、ＳＳＩＤおよび暗号鍵などの設定情報１０１をＷＰＳまたはＡＯＳＳなどの通信方式で送信する。
以下、ＷＰＳまたはＡＯＳＳなど、設定情報１０１を通信するための通信方式を「設定通信方式」という。
【００１６】
無線子機１２０は、無線親機１１０を介してインターネットまたはホームネットワークなどのネットワークに接続し、無線通信を行う通信機器である。無線通信機能を備える家電機器（例えば、空調機）は無線子機１２０の一例である。
無線子機１２０は、設定情報１０１を設定通信方式で受信し、受信した設定情報１０１を用いて無線通信を行う。
【００１７】
ＷＰＳまたはＡＯＳＳなどの設定通信方式は、無線親機１１０が近傍（例えば、数十センチメートル以内）に位置する無線子機１２０に対して設定情報１０１を提供するための通信方式である。
そのため、無線子機１２０が無線親機１１０から離れた地点に設置された場合、無線子機１２０は無線親機１１０から設定情報１０１を取得できない。
【００１８】
無線ＬＡＮ設定装置２００は、無線親機１１０から設定情報１０１を設定通信方式で受信し、受信した設定情報１０１を設定通信方式で無線子機１２０に送信する通信機器である。
【００１９】
まず、ユーザ１０９は、無線ＬＡＮ設定装置２００を持って無線親機１１０の近傍に移動し、無線ＬＡＮ設定装置２００を子機モードで動作させ、無線ＬＡＮ設定装置２００を用いて無線親機１１０から設定情報１０１を取得する。子機モードは、無線親機１１０から設定情報１０１を取得するための動作モードである。
そして、ユーザ１０９は、無線ＬＡＮ設定装置２００を持って無線子機１２０の近傍に移動し、無線ＬＡＮ設定装置２００を親機モードで動作させ、無線ＬＡＮ設定装置２００を用いて設定情報１０１を無線子機１２０に提供する。親機モードは、設定情報１０１を無線子機１２０に提供するための動作モードである。
【００２０】
図２は、実施の形態１における無線ＬＡＮ設定システム１００の動作の一例を示すシーケンス図である。
実施の形態１における無線ＬＡＮ設定システム１００の動作の一例について、図２に基づいて説明する。
【００２１】
Ｓ１１１において、ユーザは、無線ＬＡＮ設定装置２００を持って無線親機１１０の近傍に移動する。
そして、ユーザは、無線ＬＡＮ設定装置２００を子機モードで動作させるための子機モード操作を行う。
例えば、ユーザは、無線ＬＡＮ設定装置２００に備わるタッチパネルを操作することによって、無線ＬＡＮ設定装置２００を子機モードで動作させる。
【００２２】
Ｓ１１２において、ユーザは、無線ＬＡＮ設定装置２００に備わる設定ボタン（例えば、タッチパネルに表示されるボタン）を押下する。設定ボタンは、設定情報１０１の通信を開始するためのインタフェースの一例である。
Ｓ１１３において、ユーザは、無線親機１１０に備わる設定ボタンを押下する。
但し、Ｓ１１２とＳ１１３との順番が逆であっても構わない。
【００２３】
Ｓ１１４において、無線親機１１０は、設定情報１０１を生成し、生成した設定情報１０１を設定通信方式で送信する。但し、無線親機１１０は、１つ以上の設定情報１０１を予め記憶し、記憶している１つの設定情報１０１を選択し、選択した設定情報１０１を送信しても構わない。
【００２４】
Ｓ１１５において、無線ＬＡＮ設定装置２００は、無線親機１１０から送信された設定情報１０１を設定通信方式で受信し、受信した設定情報１０１を記憶する。
【００２５】
Ｓ１２１において、ユーザは、無線ＬＡＮ設定装置２００を持って無線子機１２０の近傍に移動する。
そして、ユーザは、無線ＬＡＮ設定装置２００を親機モードで動作させるための親機モード操作を行う。
例えば、ユーザは、無線ＬＡＮ設定装置２００に備わるタッチパネルを操作することによって、無線ＬＡＮ設定装置２００を親機モードで動作させる。
【００２６】
Ｓ１２２において、ユーザは、無線ＬＡＮ設定装置２００に備わる設定ボタンを押下する。
Ｓ１２３において、ユーザは、無線子機１２０に備わる設定ボタンを押下する。
但し、Ｓ１２２とＳ１２３との順番が逆であっても構わない。
【００２７】
Ｓ１２４において、無線ＬＡＮ設定装置２００は、記憶している設定情報１０１を設定通信方式で無線子機１２０に送信する。
【００２８】
Ｓ１２５において、無線子機１２０は、無線ＬＡＮ設定装置２００から送信された設定情報１０１を設定通信方式で受信し、受信した設定情報１０１を記憶する。
以後、無線子機１２０は、設定情報１０１を用いて無線親機１１０に接続し、無線親機１１０を介して他の通信機器と無線通信を行う。
【００２９】
Ｓ１２６において、ユーザは、無線ＬＡＮ設定装置２００に対して設定情報１０１を消去するための消去操作を行う。
そして、無線ＬＡＮ設定装置２００は、記憶している設定情報１０１を消去する。
但し、無線ＬＡＮ設定装置２００は、消去操作の有無に関わらず、設定情報１０１を無線子機１２０に送信した後に設定情報１０１を消去しても構わない。
【００３０】
図３は、実施の形態１における無線ＬＡＮ設定装置２００の機能構成図である。
実施の形態１における無線ＬＡＮ設定装置２００の機能構成について、図３に基づいて説明する。
【００３１】
無線ＬＡＮ設定装置２００（無線通信設定装置の一例）は、モード操作検出部２１０を備える。
無線ＬＡＮ設定装置２００は、子機モード部２２０（設定情報受信部、設定情報記憶処理部の一例）と、親機モード部２３０（設定情報送信部の一例）とを備える。
無線ＬＡＮ設定装置２００は、設定情報消去部２４０を備える。
無線ＬＡＮ設定装置２００は、設定装置記憶部２９０（設定情報記憶部の一例）を備える。
【００３２】
モード操作検出部２１０は、ユーザが無線ＬＡＮ設定装置２００に対して行う子機モード操作または親機モード操作を検出する。
【００３３】
子機モード部２２０は、モード操作検出部２１０が子機モード操作を検出した場合に、無線ＬＡＮ設定装置２００を子機モードで動作させる。
つまり、子機モード部２２０は、ユーザが無線ＬＡＮ設定装置２００の設定ボタンを押下したときに設定情報１０１を設定通信方式で無線親機１１０から受信し、受信した設定情報１０１を設定装置記憶部２９０に記憶する。
【００３４】
親機モード部２３０は、モード操作検出部２１０が親機モード操作を検出した場合に、無線ＬＡＮ設定装置２００を親機モードで動作させる。
つまり、親機モード部２３０は、ユーザが無線ＬＡＮ設定装置２００の設定ボタンを押下したときに設定装置記憶部２９０から設定情報１０１を読み出し、読み出した設定情報１０１を設定通信方式で無線子機１２０に送信する。
【００３５】
設定情報消去部２４０は、ユーザが無線ＬＡＮ設定装置２００に対して設定情報１０１の消去操作を行ったとき、または、親機モード部２３０が設定情報１０１を無線子機１２０に送信した後に、設定装置記憶部２９０から設定情報１０１を消去する。
【００３６】
設定装置記憶部２９０は、無線ＬＡＮ設定装置２００で使用されるデータを記憶する。
例えば、設定装置記憶部２９０は設定情報１０１を記憶する。
【００３７】
図４は、実施の形態１における無線ＬＡＮ設定装置２００の処理の流れを示すフローチャートである。
実施の形態１における無線ＬＡＮ設定装置２００の処理について、図４に基づいて説明する。
【００３８】
Ｓ２１０において、ユーザは、無線ＬＡＮ設定装置２００を持って無線親機１１０の近傍に移動し、無線ＬＡＮ設定装置２００に対して子機モード操作を行う。
そして、無線ＬＡＮ設定装置２００のモード操作検出部２１０は、子機モード操作を検出し、子機モード部２２０を起動する。
Ｓ２１０の後、処理はＳ２２０に進む。Ｓ２１０は図２のＳ１１１に相当する。
【００３９】
Ｓ２２０において、ユーザは、無線親機１１０と無線ＬＡＮ設定装置２００とのそれぞれの設定ボタンを押下する。
そして、無線ＬＡＮ設定装置２００の子機モード部２２０は、設定通信方式で無線親機１１０と通信（コネクションともいう）を接続し、無線親機１１０から設定情報１０１を受信し、無線親機１１０との通信を切断する。
Ｓ２２０の後、処理はＳ２３０に進む。Ｓ２２０は図２のＳ１１２からＳ１１４に相当する。
【００４０】
Ｓ２３０において、無線ＬＡＮ設定装置２００の子機モード部２２０は、受信した設定情報１０１を設定装置記憶部２９０に記憶し、動作を停止する。
Ｓ２３０の後、処理はＳ２４０に進む。Ｓ２３０は図２のＳ１１５に相当する。
【００４１】
Ｓ２４０において、ユーザは、無線ＬＡＮ設定装置２００を持って無線子機１２０の近傍に移動し、無線ＬＡＮ設定装置２００に対して親機モード操作を行う。
そして、無線ＬＡＮ設定装置２００のモード操作検出部２１０は、親機モード操作を検出し、親機モード部２３０を起動する。
Ｓ２４０の後、処理はＳ２５０に進む。Ｓ２４０は図２のＳ１２１に相当する。
【００４２】
Ｓ２５０において、ユーザは、無線子機１２０と無線ＬＡＮ設定装置２００とのそれぞれの設定ボタンを押下する。
そして、無線ＬＡＮ設定装置２００の親機モード部２３０は、設定装置記憶部２９０から設定情報１０１を読み出し、設定通信方式で無線子機１２０と通信（コネクションともいう）を接続し、設定情報１０１を無線子機１２０に送信し、無線子機１２０との通信を切断する。
Ｓ２５０の後、処理はＳ２６０に進む。Ｓ２５０は図２のＳ１２２からＳ１２５に相当する。
【００４３】
Ｓ２６０において、ユーザは、無線ＬＡＮ設定装置２００に対して設定情報１０１の消去操作を行う。
そして、無線ＬＡＮ設定装置２００の設定情報消去部２４０は、設定情報１０１の消去操作を検出し、設定装置記憶部２９０から設定情報１０１を消去する。
但し、設定情報消去部２４０は、消去操作の有無に関わらず、設定装置記憶部２９０から設定情報１０１を消去しても構わない。
Ｓ２６０の後、無線ＬＡＮ設定装置２００の処理は終了する。Ｓ２６０は図２のＳ１２６に相当する。
【００４４】
図５は、実施の形態１における無線ＬＡＮ設定装置２００のハードウェア構成の一例を示す図である。
実施の形態１における無線ＬＡＮ設定装置２００のハードウェア構成の一例について、図５に基づいて説明する。
【００４５】
無線ＬＡＮ設定装置２００は、バス９０９に接続している演算装置９０１、補助記憶装置９０２、主記憶装置９０３、通信装置９０４および入出力装置９０５を備える。装置はデバイスともいう。
【００４６】
演算装置９０１は、プログラムを実行するＣＰＵ（Ｃｅｎｔｒａｌ  Ｐｒｏｃｅｓｓｉｎｇ  Ｕｎｉｔ）である。
補助記憶装置９０２は、例えば、ＲＯＭ（Ｒｅａｄ  Ｏｎｌｙ  Ｍｅｍｏｒｙ）、フラッシュメモリまたはハードディスク装置である。つまり、補助記憶装置９０２は、揮発性または不揮発性のメモリである。
主記憶装置９０３は、例えば、ＲＡＭ（Ｒａｎｄｏｍ  Ａｃｃｅｓｓ  Ｍｅｍｏｒｙ）である。
通信装置９０４は、有線または無線でインターネット、ＬＡＮ（ローカルエリアネットワーク）、電話回線網またはその他のネットワークを介して通信を行う。
入出力装置９０５は、例えば、タッチパネル、ボタン、テンキー、ディスプレイ、スピーカである。
【００４７】
プログラムは、通常は補助記憶装置９０２に記憶されており、主記憶装置９０３にロードされ、演算装置９０１に読み込まれ、演算装置９０１によって実行される。
例えば、オペレーティングシステム（ＯＳ）が補助記憶装置９０２に記憶される。また、「〜部」として説明している機能を実現するプログラム（無線通信設定プログラムの一例）が補助記憶装置９０２に記憶される。そして、ＯＳおよび「〜部」として説明している機能を実現するプログラムは主記憶装置９０３にロードされ、演算装置９０１によって実行される。
【００４８】
「〜の判断」、「〜の判定」、「〜の抽出」、「〜の検知」、「〜の設定」、「〜の登録」、「〜の選択」、「〜の生成」、「〜の入力」、「〜の出力」等の処理の結果を示す情報、データ、信号値または変数値が主記憶装置９０３または補助記憶装置９０２にファイルとして記憶される。また、無線ＬＡＮ設定装置２００が使用するその他のデータが主記憶装置９０３または補助記憶装置９０２に記憶される。
【００４９】
また、図５は実施の形態１における無線ＬＡＮ設定装置２００のハードウェア構成の一例を示すものであり、無線ＬＡＮ設定装置２００のハードウェア構成は図５に示す構成と異なる構成であってもよい。
なお、実施の形態１に係る方法（無線通信設定方法の一例）はフローチャート等を用いて説明している手順または一部異なる手順によって実現することができる。
【００５０】
実施の形態１において、無線親機１１０から離れた場所に設置されている無線子機１２０に対して、無線子機１２０を介して無線通信を行うための設定情報１０１を簡便に設定する形態について説明した。つまり、実施の形態１により、無線親機１１０と直接通信することができない無線子機１２０に対して設定情報１０１を設定することができる。
実施の形態１で説明した無線ＬＡＮ設定装置２００は、無線親機１１０から設定情報を受信する設定通信方式と同じ通信方式で設定情報１０１を無線子機１２０に送信するため、設定通信方式と異なる無線ＬＡＮの通信方式で通信する他の通信機器の無線通信に影響を与えない。
また、無線ＬＡＮ設定装置２００は、設定情報１０１を無線子機１２０に送信した後、つまり、設定情報１０１が無線子機１２０に設定された後に設定情報１０１を消去するため、設定情報１０１の不正コピーを防止することができる。
【００５１】
実施の形態２．
ユーザが、無線ＬＡＮ設定装置２００を使用するためにユーザ認証を受ける形態について説明する。
以下、実施の形態１と異なる事項について主に説明する。説明を省略する事項については実施の形態１と同様である。
【００５２】
図６は、実施の形態２における無線ＬＡＮ設定システム１００の動作の一例を示すシーケンス図である。
実施の形態２における無線ＬＡＮ設定システム１００の動作の一例について、図６に基づいて説明する。
【００５３】
Ｓ１０１において、ユーザは、パスワードまたは指紋データなどのユーザ情報を無線ＬＡＮ設定装置２００に入力する。パスワードまたは指紋データはユーザを識別する情報の一例である。
そして、無線ＬＡＮ設定装置２００は、入力されたユーザ情報に基づいて、ユーザを認証するか否かを判定する認証処理を行う。
ユーザが認証された場合、無線ＬＡＮ設定装置２００の操作が有効になり、実施の形態１（図２参照）で説明したＳ１１１以降の処理が行われる。
ユーザが認証されなかった場合、無線ＬＡＮ設定装置２００の操作が無効になり、Ｓ１１１以降の処理が行われない。
【００５４】
図７は、実施の形態２における無線ＬＡＮ設定装置２００の機能構成図である。
実施の形態２における無線ＬＡＮ設定装置２００の機能構成について、図７に基づいて説明する。
【００５５】
無線ＬＡＮ設定装置２００は、実施の形態１（図３参照）で説明した構成に加えて、ユーザ情報登録部２５０とユーザ認証部２５１とを備える。
【００５６】
ユーザ情報登録部２５０は、無線ＬＡＮ設定装置２００に入力されるパスワードまたは指紋データなどのユーザ登録情報２９１を設定装置記憶部２９０に記憶する。
【００５７】
ユーザ認証部２５１は、無線ＬＡＮ設定装置２００に入力されるユーザ情報と、設定装置記憶部２９０に記憶されたユーザ登録情報２９１とを比較し、ユーザ情報を入力したユーザを認証するか否かを判定する。
【００５８】
設定装置記憶部２９０（ユーザ登録情報記憶部の一例）にユーザ登録情報２９１が記憶された場合、ユーザは、無線ＬＡＮ設定装置２００から認証を受けなければ、無線ＬＡＮ設定装置２００を使用することができない。
【００５９】
図８は、実施の形態２における無線ＬＡＮ設定装置２００の処理の流れを示すフローチャートである。
実施の形態２における無線ＬＡＮ設定装置２００の処理について、図８に基づいて説明する。
但し、無線ＬＡＮ設定装置２００の設定装置記憶部２９０には、ユーザ登録情報２９１が予め記憶されているものとする。
【００６０】
無線ＬＡＮ設定装置２００は、実施の形態１（図４参照）で説明したＳ２１０以降の処理を行う前に、Ｓ２０１を実行する。
【００６１】
Ｓ２０１において、ユーザは、無線ＬＡＮ設定装置２００に対してユーザ情報を入力する。
そして、無線ＬＡＮ設定装置２００のユーザ認証部２５１は、入力されたユーザ情報と設定装置記憶部２９０に記憶されているユーザ登録情報２９１とを比較し、ユーザ情報を入力したユーザを認証するか否かを比較結果に基づいて判定する。
例えば、ユーザ情報として入力されたパスワードとユーザ登録情報２９１として記憶されているパスワードとが同じパスワードである場合、ユーザ認証部２５１はユーザを認証する。
例えば、ユーザ情報として入力された指紋データとユーザ登録情報２９１として記憶されている指紋データとが認証閾値以上の割合で一致する場合、ユーザ認証部２５１はユーザを認証する。
ユーザが認証された場合（ＹＥＳ）、処理はＳ２１０に進む。
ユーザが認証されない場合（ＮＯ）、Ｓ２１０以降の処理は行わず、無線ＬＡＮ設定装置２００の処理は終了する。Ｓ２０１は図６のＳ１０１に相当する。
【００６２】
実施の形態２において、ユーザが、無線ＬＡＮ設定装置２００を使用するためにユーザ認証を受ける形態について説明した。
つまり、正当なユーザは無線ＬＡＮ設定装置２００を使用できるが、不正なユーザは無線ＬＡＮ設定装置２００を使用することができない。
これにより、無線ＬＡＮ設定装置２００の不正な使用（例えば、設定情報１０１の不正コピー）を防ぐことができる。
【００６３】
実施の形態３．
１つ以上の無線親機１１０から複数の設定情報１０１を取得し、取得した複数の設定情報１０１を１つ以上の無線子機１２０に設定する形態について説明する。
以下、実施の形態１と異なる事項について主に説明する。説明を省略する事項については実施の形態１と同様である。
【００６４】
図９、図１０は、実施の形態３における無線ＬＡＮ設定システム１００の動作の一例を示すシーケンス図である。
実施の形態３における無線ＬＡＮ設定システム１００の動作の一例について、図９および図１０に基づいて説明する。
【００６５】
無線ＬＡＮ設定装置２００は、二つの無線親機１１０Ａ・１１０Ｂから二つの設定情報１０１Ａ・１０１Ｂを取得し（図９参照）、取得した二つの設定情報１０１Ａ・１０１Ｂを二つの無線子機１２０Ａ・１２０Ｂに設定する（図１０参照）。
【００６６】
Ｓ１３０（図９参照）において、ユーザは、無線ＬＡＮ設定装置２００を持って無線親機１１０Ａの近傍に移動し、無線ＬＡＮ設定装置２００に対して子機モード操作を行う（図２のＳ１１１と同様）。
【００６７】
Ｓ１３１において、ユーザは、無線ＬＡＮ設定装置２００に対して第１設定情報の取得を選択する。
【００６８】
Ｓ１３２、Ｓ１３３において、ユーザは、無線ＬＡＮ設定装置２００と無線親機１１０Ａとのそれぞれの設定ボタンを押下する（図２のＳ１１２、Ｓ１１３と同様）。
Ｓ１３４において、無線親機１１０Ａは、設定情報１０１Ａを無線ＬＡＮ設定装置２００に送信する（図２のＳ１１４と同様）。
Ｓ１３５において、無線ＬＡＮ設定装置２００は、設定情報１０１Ａを受信し、受信した設定情報１０１Ａを第１設定情報として記憶する（図２のＳ１１５と同様）。
【００６９】
Ｓ１４１において、ユーザは、無線ＬＡＮ設定装置２００を持って無線親機１１０Ｂの近傍に移動し、無線ＬＡＮ設定装置２００に対して第２設定情報の取得を選択する。
【００７０】
Ｓ１４２、Ｓ１４３において、ユーザは、無線ＬＡＮ設定装置２００と無線親機１１０Ｂとのそれぞれの設定ボタンを押下する（図２のＳ１１２、Ｓ１１３と同様）。
Ｓ１４４において、無線親機１１０Ｂは、設定情報１０１Ｂを無線ＬＡＮ設定装置２００に送信する（図２のＳ１１４と同様）。
Ｓ１４５において、無線ＬＡＮ設定装置２００は、設定情報１０１Ｂを受信し、受信した設定情報１０１Ｂを第２設定情報として記憶する（図２のＳ１１５と同様）。
【００７１】
Ｓ１５０（図１０参照）において、ユーザは、無線ＬＡＮ設定装置２００を持って無線子機１２０Ａの近傍に移動し、無線ＬＡＮ設定装置２００に対して親機モード操作を行う（図２のＳ１２１と同様）。
【００７２】
Ｓ１５１において、ユーザは、無線ＬＡＮ設定装置２００に対して第１設定情報の設定を選択する。
【００７３】
Ｓ１５２、Ｓ１５３において、ユーザは、無線ＬＡＮ設定装置２００と無線子機１２０Ａとのそれぞれの設定ボタンを押下する（図２のＳ１２２、Ｓ１２３と同様）。
Ｓ１５４において、無線ＬＡＮ設定装置２００は、第１設定情報として記憶している設定情報１０１Ａを無線子機１２０Ａに送信する（図２のＳ１２４と同様）。
Ｓ１５５において、無線子機１２０Ａは、設定情報１０１Ａを受信し、受信した設定情報１０１Ａを記憶する（図２のＳ１２５と同様）。
Ｓ１５６において、無線ＬＡＮ設定装置２００は、第１設定情報として記憶している設定情報１０１Ａを消去する（図２のＳ１２６と同様）。
【００７４】
Ｓ１６１において、ユーザは、無線ＬＡＮ設定装置２００を持って無線子機１２０Ｂの近傍に移動し、無線ＬＡＮ設定装置２００に対して第２設定情報の設定を選択する。
【００７５】
Ｓ１６２、Ｓ１６３において、ユーザは、無線ＬＡＮ設定装置２００と無線子機１２０Ｂとのそれぞれの設定ボタンを押下する（図２のＳ１２２、Ｓ１２３と同様）。
Ｓ１６４において、無線ＬＡＮ設定装置２００は、第２設定情報として記憶している設定情報１０１Ｂを無線子機１２０Ｂに送信する（図２のＳ１２４と同様）。
Ｓ１６５において、無線子機１２０Ｂは、設定情報１０１Ｂを受信し、受信した設定情報１０１Ｂを記憶する（図２のＳ１２５と同様）。
Ｓ１６６において、無線ＬＡＮ設定装置２００は、第２設定情報として記憶している設定情報１０１Ｂを消去する（図２のＳ１２６と同様）。
【００７６】
図９、図１０において、無線ＬＡＮ設定装置２００は、二つの無線親機１１０Ａ・１１０Ｂから二つの設定情報１０１Ａ・１０１Ｂを取得し、取得した二つの設定情報１０１Ａ・１０１Ｂを二つの無線子機１２０Ａ・１２０Ｂに設定する。
但し、無線親機１１０または無線子機１２０は三つ以上であっても構わない。
また、無線ＬＡＮ設定装置２００は、一つの無線親機１１０から複数の設定情報１０１を取得し、取得した複数の設定情報１０１を複数の無線子機１２０に一つずつ設定しても構わない。
また、無線ＬＡＮ設定装置２００は、複数の無線親機１１０から複数の設定情報１０１を取得し、取得した複数の設定情報１０１を一つの無線子機１２０に設定しても構わない。
【００７７】
図１１は、実施の形態３における無線ＬＡＮ設定装置２００の機能構成図である。
実施の形態３における無線ＬＡＮ設定装置２００の機能構成について、図１１に基づいて説明する。
【００７８】
無線ＬＡＮ設定装置２００は、実施の形態１（図３参照）で説明した構成に加えて、設定情報識別部２６０を備える。
【００７９】
設定情報識別部２６０は、ユーザに指定された設定識別情報を入力する。設定識別情報は、設定情報１０１を識別する情報（例えば、設定情報１０１の番号または名称）である。
【００８０】
子機モード部２２０は、設定情報１０１を受信し、受信した設定情報１０１を入力された設定識別情報に対応付けて設定装置記憶部２９０に記憶する。
親機モード部２３０（設定情報選択部の一例）は、入力された設定識別情報に対応付けられた設定情報１０１を選択し、選択した設定情報１０１を送信する。
設定装置記憶部２９０は、子機モード部２２０によって受信される複数の設定情報１０１を記憶する。
【００８１】
図１２は、実施の形態３における無線ＬＡＮ設定装置２００の子機モードの処理を示すフローチャートである。
実施の形態３における無線ＬＡＮ設定装置２００の子機モードの処理について、図１２に基づいて説明する。
【００８２】
無線ＬＡＮ設定装置２００は、実施の形態１（図４参照）で説明した処理（Ｓ２１０からＳ２３０）に加えて、Ｓ２１１を実行する。
【００８３】
Ｓ２１０において、無線ＬＡＮ設定装置２００のモード操作検出部２１０は子機モード操作を検出する。Ｓ２１０は図９のＳ１３０に相当する。
Ｓ２１１において、ユーザは、無線ＬＡＮ設定装置２００に対して、無線親機１１０から新たに取得する設定情報１０１を識別する設定識別情報を指定する。
そして、無線ＬＡＮ設定装置２００の設定情報識別部２６０は、指定された設定識別情報を入力する。Ｓ２１１は図９のＳ１３１およびＳ１４１に相当する。
Ｓ２２０において、無線ＬＡＮ設定装置２００の子機モード部２２０は無線親機１１０から設定情報１０１を受信する。Ｓ２２０は図９のＳ１３２からＳ１３４およびＳ１４２からＳ１４４に相当する。
Ｓ２３０において、無線ＬＡＮ設定装置２００の子機モード部２２０は、受信した設定情報１０１をＳ２１１で入力された設定識別情報に対応付けて設定装置記憶部２９０に記憶する。Ｓ２３０は図９のＳ１３５およびＳ１４５に相当する。
【００８４】
Ｓ２１０からＳ２３０は、ユーザが無線ＬＡＮ設定装置２００に対して子機モード操作を行う毎に実行される。
また、Ｓ２１１からＳ２３０は、ユーザが無線ＬＡＮ設定装置２００および無線親機１１０の設定ボタンを押下する毎に実行される。
【００８５】
図１３は、実施の形態３における無線ＬＡＮ設定装置２００の親機モードの処理を示すフローチャートである。
実施の形態３における無線ＬＡＮ設定装置２００の親機モードの処理について、図１３に基づいて説明する。
【００８６】
無線ＬＡＮ設定装置２００は、実施の形態１（図４参照）で説明した処理（Ｓ２４０からＳ２６０）に加えて、Ｓ２４１およびＳ２４２を実行する。
【００８７】
Ｓ２４０において、無線ＬＡＮ設定装置２００のモード操作検出部２１０は親機モード操作を検出する。Ｓ２４０は図１０のＳ１５０に相当する。
Ｓ２４１において、ユーザは、無線ＬＡＮ設定装置２００に対して、無線子機１２０に設定する設定情報１０１を識別する設定識別情報を指定する。
そして、無線ＬＡＮ設定装置２００の設定情報識別部２６０は、指定された設定識別情報を入力する。Ｓ２４１は図１０のＳ１５１およびＳ１６１に相当する。
Ｓ２４２において、無線ＬＡＮ設定装置２００の親機モード部２３０は、設定装置記憶部２９０に記憶されている設定情報１０１のうち、Ｓ２４１で入力された設定識別情報と同じ情報に対応付けられた設定情報１０１を選択する。
Ｓ２５０において、無線ＬＡＮ設定装置２００の親機モード部２３０は、選択した設定情報１０１を無線子機１２０に送信する。Ｓ２４２およびＳ２５０は、図１０のＳ１５２からＳ１５５およびＳ１６２からＳ１６５に相当する。
Ｓ２６０において、無線ＬＡＮ設定装置２００の設定情報消去部２４０は、Ｓ２４１で選択された設定情報１０１を設定装置記憶部２９０から消去する。Ｓ２６０は図１０のＳ１５６およびＳ１６６に相当する。
【００８８】
Ｓ２４０からＳ２６０は、ユーザが無線ＬＡＮ設定装置２００に対して親機モード操作を行う毎に実行される。
また、Ｓ２４１からＳ２６０は、ユーザが無線ＬＡＮ設定装置２００および無線子機１２０の設定ボタンを押下する毎に実行される。
【００８９】
実施の形態３において、１つ以上の無線親機１１０から複数の設定情報１０１を取得し、取得した複数の設定情報１０１を１つ以上の無線子機１２０に設定する形態について説明した。
これにより、任意の無線子機１２０に対して複数の無線ＬＡＮの設定を行うことができる。
【００９０】
実施の形態３において、実施の形態２と同様に、ユーザ認証を行っても構わない。
【００９１】
各実施の形態は、無線ＬＡＮ設定システム１００および無線ＬＡＮ設定装置２００の形態の一例である。
つまり、無線ＬＡＮ設定システム１００および無線ＬＡＮ設定装置２００は、各実施の形態で説明した機能または構成の一部を備えなくても構わない。
また、無線ＬＡＮ設定システム１００および無線ＬＡＮ設定装置２００は、各実施の形態で説明していない機能または構成を備えても構わない。
さらに、各実施の形態は、矛盾が生じない範囲で一部または全てを組み合わせても構わない。
【符号の説明】
【００９２】
１００  無線ＬＡＮ設定システム、１０１  設定情報、１０９  ユーザ、１１０  無線親機、１２０  無線子機、２００  無線ＬＡＮ設定装置、２１０  モード操作検出部、２２０  子機モード部、２３０  親機モード部、２４０  設定情報消去部、２５０  ユーザ情報登録部、２５１  ユーザ認証部、２６０  設定情報識別部、２９０  設定装置記憶部、２９１  ユーザ登録情報、９０１  演算装置、９０２  補助記憶装置、９０３  主記憶装置、９０４  通信装置、９０５  入出力装置、９０９  バス。
【図１】
2014212498.tif 000003
【図２】
2014212498.tif 000004
【図３】
2014212498.tif 000005
【図４】
2014212498.tif 000006
【図５】
2014212498.tif 000007
【図６】
2014212498.tif 000008
【図７】
2014212498.tif 000009
【図８】
2014212498.tif 000010
【図９】
2014212498.tif 000011
【図１０】
2014212498.tif 000012
【図１１】
2014212498.tif 000013
【図１２】
2014212498.tif 000014
【図１３】
2014212498.tif 000015